(57)【要約】【課題】無線リモコンと照明器具との距離が近いときでは、照明負荷を素早く制御するとともに、上記距離が遠いときでは、照明負荷を確実に制御する。【解決手段】この照明装置は、点灯及び消灯を行う照明負荷を有する照明器具３と、照明器具３とは別体であって照明負荷の点灯状態を微弱無線により指示する無線リモコン１，２とを備えている。無線リモコン１，２では、信号生成部が、人感センサによる検知に基づく入力信号を入力したときに、１回目の検知信号、及び１回目の検知信号より、コマンドを多く有し、伝送速度が遅い２回目以降の検知信号を生成する。リモコン制御部が、１回目の検知信号をすぐに送信し、２回目以降の検知信号をそれぞれ予め決められた時間に送信する送信タイミングを制御する。リモコン制御部の制御により、送信部から検知信号を微弱無線として照明器具３に送信する。【選択図】図１
2006093049.tif 000002
【特許請求の範囲】
【請求項１】
点灯及び消灯を行う照明負荷を有する照明器具と、前記照明器具とは別体であって前記照明負荷の点灯状態を微弱無線により指示する無線リモコンとを備える照明装置であって、
前記無線リモコンが、
予め決められた検知及びユーザの操作のうち少なくとも一方に基づいて入力信号を出力する入力手段と、
前記入力手段から前記入力信号を入力したときに、１回目の制御信号、及び前記１回目の制御信号より、コマンド及び誤り制御符号のうち少なくとも一方を多く有する２回目以降の制御信号を生成する信号生成手段と、
前記１回目の制御信号を前記信号生成手段が生成するとすぐに送信し、前記２回目以降の制御信号をそれぞれ予め決められた時間に送信する送信タイミングを制御するリモコン制御手段と、
前記リモコン制御手段の制御により、前記制御信号を微弱無線信号として前記照明器具に送信する送信手段と
を備えることを特徴とする照明装置。
【請求項２】
前記無線リモコンを複数備え、
前記各無線リモコンが、前記２回目以降の制御信号を他の無線リモコンの２回目以降の制御信号と異なる送信タイミングで送信することを特徴とする請求項１記載の照明装置。
【請求項３】
前記無線リモコンが、自己に固有の数値に基づいて、前記送信タイミングを選択することを特徴とする請求項２記載の照明装置。
【請求項４】
（ｎ−１）（ｎ≧３）回目の制御信号とｎ回目の制御信号との送信間隔が、（ｎ−２）回目の制御信号と前記（ｎ−１）回目の制御信号との送信間隔より長いことを特徴とする請求項２又は３記載の照明装置。
【請求項５】
ｎ（ｎ≧３）回目の制御信号が、コマンド及び誤り制御符号のうち少なくとも一方を（ｎ−１）回目の制御信号より多く有することを特徴とする請求項１〜４のいずれか記載の照明装置。
【請求項６】
前記２回目以降の制御信号の伝送速度が、前記１回目の制御信号の伝送速度より遅いことを特徴とする請求項１〜５のいずれか記載の照明装置。
【請求項７】
ｎ（ｎ≧３）回目の制御信号の伝送速度が、（ｎ−１）回目の制御信号の伝送速度より遅いことを特徴とする請求項６記載の照明装置。
【請求項８】
前記照明器具を複数備え、前記無線リモコンが前記複数の照明器具に対応していることを特徴とする請求項１〜７のいずれか記載の照明装置。
【発明の詳細な説明】
【技術分野】
【０００１】
本発明は、例えば、階段、廊下等の人が往来する場所に設置された照明器具を、無線リモコンからの微弱無線により制御する照明装置に関するものである。
【背景技術】
【０００２】
従来、この種の照明装置（照明システム）は、種々提案されまた市販されている。一例として、リモコンから通信線（有線）で照明器具に制御信号（例えば検知信号等）を送信し、照明器具を制御する照明装置がある。上記照明装置は、通信信頼性が非常に高く、確実に制御信号を送信することができる。しかし、全てのリモコンと照明器具とを通信線で接続するための施工工事を必要とし、非常に手間がかかるという問題があった。
【０００３】
上記問題を回避する例として、赤外線等の簡易的な無線を用いた通信（ワイヤレス通信）により、リモコンから照明器具に制御信号を送信し、照明器具を制御する他の照明装置がある。上記他の照明装置は、施工工事を必要としないので、手間がかからない。しかし、赤外線等は、指向性があるとともに、リモコンと照明器具との間にある壁等の遮蔽物を通過することができないので、リモコンと照明器具との位置関係によっては制御信号が届かない場合がある。そのため、リモコンの操作場所に制限があり、ユーザが希望する場所から操作することができない場合があるという問題があった。
【０００４】
一方、無線通信には、赤外線等による通信以外に電波による通信がある。電波による通信は、アンテナの性能により指向性を低減することができるとともに、壁等の遮蔽物を通過することができるので、赤外線等による通信の問題を回避するための有効な無線通信である。
【０００５】
上記電波は、複数の周波数帯域に区分けされている。この中で、免許が不要なものとして、特定小電力無線と微弱無線とがあり、両方とも照明負荷を点灯させる場合に用いられることが多い。特定小電力無線は、４００ＭＨｚ帯の周波数帯で、送信電力が１ｍＷ以下又は１０ｍＷ以下と比較的大きい電波である。特定小電力無線による通信は、通信距離が数百メートルと長距離であり、通信信頼性が高く、上記赤外線等による通信の問題を回避することができる。しかし、特定小電力無線による通信は、認可を必要とするとともに、構成が複雑になり、制御方式も複雑なものになるので、コストが高くなり、手軽な用途には使いにくいという問題があった。
【０００６】
一方、微弱無線は、３２２ＭＨｚ以下の周波数帯で、３ｍ地点の電界強度が５００μＶ／ｍ以下の電波である。微弱無線による通信は、上記のように電界強度が電波法で小さく規制され、通信信頼性及び通信距離が特定小電力無線による通信より劣るものの、コストが非常に安く、認可も不要であり、他の制約もないので、上記通信性能の範囲で実現するものであれば、手軽な用途、低コストが要求される用途に適している。
【０００７】
上記より、図１７（ａ）に示すように、無線リモコン１，２から制御信号を電気信号から微弱無線信号に変換して照明器具３に送信し、照明器具３を制御する手段が有効である。
【０００８】
なお、図１８（ａ）に示すように、複数の無線リモコン１，２が、例えば各人感センサの検知範囲１０ａ，２０ａ内で人５ａ，５ｂを検知した際に、同時に検知信号を照明器具３に送信すると、図１８（ｂ）に示すように、２つの検知信号が互いに干渉し合い、照明器具３は正しく受信することができないという問題があった。上記問題を回避する方法として、各無線リモコン１，２は、例えば人感センサの検知範囲１０ａ，２０ａ内で人５ａ，５ｂを検知した際に、即座に検知信号を照明器具３に送信するのではなく、他の無線リモコンからの検知信号の有無を確認するキャリアセンスを行ってから送信する方法がある。しかし、キャリアセンスを行うためには、無線リモコン１，２は受信機能を備える必要があり、コストが高くなるという問題があった。
【０００９】
また、特許文献１には、通信開始前又は通信開始初期に通常より出力強度を強くし、通信確立時には通常の出力強度であるリモコン信号を送信する照明装置が開示されている。
【特許文献１】特開平１０−１３４９６５号公報（第３頁−第６頁及び第１１図）
【発明の開示】
【発明が解決しようとする課題】
【００１０】
しかしながら、上記従来の微弱無線を用いた照明装置は、図１７（ｂ）に示すように、制御信号の電界強度が電波法により小さく制限されるので、環境ノイズや通信距離等によっては制御信号がノイズに埋もれ、十分な通信信頼性を実現することができないという問題があった。特に、電波の強さは距離の２乗に反比例するので、無線リモコン１，２と照明器具３との距離が遠い場合、通信信頼性は大きく下がる。
【００１１】
上記問題を解決するために通信信頼性を上げる必要があるが、その方法として、制御信号の伝送速度を遅くする方法、信頼性を上げるデータ（例えば、データの繰り返し、誤り符号等）を付加した制御信号を送信する方法等がある（図１９（ａ）参照）。
【００１２】
しかし、このような方法で通信信頼性を上げると、通信や信号処理にかかる時間が増えてしまう。これにより、図１９（ｂ），（ｃ）に示すように、照明器具３の近くに無線リモコン１が設置されている場合、人感センサ（図示せず）が人を検知してから即座に照明器具３の制御（以下、照明制御という）を行う必要があるのに、検知から照明制御が完了するまでの時間が長くなってしまうという問題があった。
【００１３】
上記より、従来の微弱無線を用いた照明装置では、照明制御が完了するまでの時間と通信信頼性とはトレードオフの関係である。つまり、通信信頼性を上げると照明制御が完了するまでの時間は長くなり、逆に、照明制御を完了するまでの時間を短くすると、通信信頼性が下がってしまう。また、無線リモコンと照明器具との位置関係や、照明制御が完了するまでの時間の許容範囲は、照明装置の設備環境によって異なり、照明制御が完了するまでの時間、通信信頼性を設置環境毎に最適に設定することが困難であるという問題があった。
【００１４】
本発明は上記の点に鑑みて為されたものであり、その目的とするところは、無線リモコンと照明器具との距離が近いときでは、照明制御を素早く行うことができるとともに、上記距離が遠いときでは、照明制御を確実に行うことができる照明装置を提供することにある。
【課題を解決するための手段】
【００１５】
請求項１に記載の発明は、点灯及び消灯を行う照明負荷を有する照明器具と、前記照明器具とは別体であって前記照明負荷の点灯状態を微弱無線により指示する無線リモコンとを備える照明装置であって、前記無線リモコンが、予め決められた検知及びユーザの操作のうち少なくとも一方に基づいて入力信号を出力する入力手段と、前記入力手段から前記入力信号を入力したときに、１回目の制御信号、及び前記１回目の制御信号より、コマンド及び誤り制御符号のうち少なくとも一方を多く有する２回目以降の制御信号を生成する信号生成手段と、前記１回目の制御信号を前記信号生成手段が生成するとすぐに送信し、前記２回目以降の制御信号をそれぞれ予め決められた時間に送信する送信タイミングを制御するリモコン制御手段と、前記リモコン制御手段の制御により、前記制御信号を微弱無線信号として前記照明器具に送信する送信手段とを備えることを特徴とする。
【００１６】
この構成では、無線リモコンと照明器具との距離が近いときでは、照明制御を素早く行うことができるとともに、上記距離が遠いときでは、照明制御を確実に行うことができる。
【００１７】
請求項２に記載の発明は、請求項１に記載の発明において、前記無線リモコンを複数備え、前記各無線リモコンが、前記２回目以降の制御信号を他の無線リモコンの２回目以降の制御信号と異なる送信タイミングで送信することを特徴とする。この構成では、無線リモコンからの単方向通信であっても、複数の無線リモコンが同時に人を検出した場合に、複数の制御信号が干渉し合うのを防止することができる。
【００１８】
請求項３に記載の発明は、請求項２に記載の発明において、前記無線リモコンが、自己に固有の数値に基づいて、前記送信タイミングを選択することを特徴とする。この構成では、初期状態であっても、各無線リモコンは異なるパターンで制御信号を送信する可能性を高めることができるので、２回目以降の制御信号の干渉を起こりにくくすることができる。
【００１９】
請求項４に記載の発明は、請求項２又は３に記載の発明において、（ｎ−１）（ｎ≧３）回目の制御信号とｎ回目の制御信号との送信間隔が、（ｎ−２）回目の制御信号と前記（ｎ−１）回目の制御信号との送信間隔より長いことを特徴とする。この構成では、異なる無線リモコンの（ｎ−１）回目の制御信号とｎ回目の制御信号との干渉を低減することができる。
【００２０】
請求項５に記載の発明は、請求項１〜４のいずれかに記載の発明において、ｎ（ｎ≧３）回目の制御信号が、コマンド及び誤り制御符号のうち少なくとも一方を（ｎ−１）回目の制御信号より多く有することを特徴とする。この構成では、３回目以降の制御信号の通信信頼性をさらに向上させることができる。
【００２１】
請求項６に記載の発明は、請求項１〜５のいずれかに記載の発明において、前記２回目以降の制御信号の伝送速度が、前記１回目の制御信号の伝送速度より遅いことを特徴とする。この構成では、２回目以降の制御信号の通信信頼性をさらに向上させることができる。
【００２２】
請求項７に記載の発明は、請求項６に記載の発明において、ｎ（ｎ≧３）回目の制御信号の伝送速度が、（ｎ−１）回目の制御信号の伝送速度より遅いことを特徴とする。この構成では、２回目の制御信号でも通信できない場所に、さらに通信しやすい制御信号を送信することで、無線リモコンの設置範囲をさらに広げることができる。
【００２３】
請求項８に記載の発明は、請求項１〜７のいずれかに記載の発明において、前記照明器具を複数備え、前記無線リモコンが前記複数の照明器具に対応していることを特徴とする。この構成では、各照明器具において、無線リモコンと照明器具との距離が近いときでは、照明制御を素早く行うことができるとともに、上記距離が遠いときでは、照明制御を確実に行うことができる。
【発明の効果】
【００２４】
本発明によれば、無線リモコンと照明器具との距離が近いときでは、照明制御を素早く行うことができるとともに、上記距離が遠いときでは、照明制御を確実に行うことができる。
【発明を実施するための最良の形態】
【００２５】
（実施形態１）
先ず、実施形態１の基本的な構成について図１〜５を用いて説明する。図１は実施形態１の照明装置の概観図である。また、図２は無線リモコンのブロック図であり、図３は照明器具のブロック図である。さらに、図４は検知信号（制御信号）を示し、図５は検知信号の送信タイミングを示している。実施形態１の照明装置は、例えば、屋内、特に住宅の階段、廊下等の人が往来する場所に設置された照明器具を、無線リモコンからの微弱無線により制御するものであり、図１に示すように、複数（実施形態１では２台）の無線リモコン１，２、照明器具３を備えている。
【００２６】
微弱無線は、３２２ＭＨｚ以下の周波数帯で、３ｍ地点の電界強度が５００μＶ／ｍ以下の電波である。微弱無線による通信は、上記のように電界強度が電波法で小さく規制され、通信信頼性及び通信距離が特定小電力無線による通信より劣るものの、コストが非常に安く、認可も不要であり、他の制約もないので、上記通信性能の範囲で実現するものであれば、手軽な用途、低コストが要求される用途に適している。
【００２７】
無線リモコン１，２は、照明器具３とは別体であって、図２に示すように、人感センサ１０，２０、信号生成部１１，２１、カウンタ１２，２２、リモコン制御部１３，２３、送信部（微弱無線送信部）１４，２４を含む構成であり、後述する照明負荷３２（図３参照）の点灯状態を微弱無線により指示するセンサ付き無線リモコンである。実施形態１では、無線リモコン１は照明器具３の近くにあるのに対して、無線リモコン２は照明器具３から若干遠くにある（図１参照）。
【００２８】
人感センサ１０，２０は、検知範囲１０ａ，２０ａ内で人５を検知すると入力信号を信号生成部１１，２１に出力する入力手段である。例えば、検知範囲１０ａ，２０ａ内を人が横切ったことを検知する。信号生成部１１，２１は、例えばマイコン等であり、伝送速度及びデータ長のうち少なくとも一方が異なる複数の検知信号を生成する信号生成手段である。具体的には、人感センサ１０，２０から入力信号を入力したときに、１回目の検知信号、及び上記１回目の検知信号より、コマンドを多く有し、伝送速度が遅い２回目以降（実施形態１では、２回目及び３回目）の検知信号を生成する。カウンタ１２，２２は、例えばマイコン等であり、人感センサ１０，２０の検知回数を数える検知回数カウンタである。カウンタ１２，２２の値ｘ１，ｘ２は、０〜３のいずれかの値をとり、初期値を０とし、検知毎に０→１→２→３→０と順に変わる。
【００２９】
リモコン制御部１３，２３は、例えばマイコン等であり、１回目の検知信号を信号生成部１１，２１が生成するとすぐに送信し、２回目以降の検知信号をそれぞれ予め決められた時間に送信する送信タイミングを制御するリモコン制御手段である。ここで、各リモコン制御部１３，２３は、２回目以降の検知信号を他の無線リモコンの２回目以降の検知信号と異なる時間に送信するように送信タイミングを制御している。送信部１４，２４は、リモコン制御部１３，２３の制御により、上記検知信号を電気信号から微弱無線信号に変換して照明器具３（図１参照）に送信する送信手段である。
【００３０】
照明器具３は、図３に示すように、受信部（微弱無線受信部）３０、器具制御部３１、照明負荷３２を含む構成であり、無線リモコン１，２に対応している。受信部３０は、無線リモコン１，２（図１参照）からの検知信号を微弱無線信号として受信し、その微弱無線信号を電気信号に変換する。器具制御部３１は、受信部３０が受信した検知信号に基づき、照明負荷３２の点灯状態を制御する。照明負荷３２は、例えばランプ、点灯装置等であり、無線リモコン１，２からの検知信号に基づいて点灯及び消灯を行う。
【００３１】
上記照明器具３は、無線リモコン１，２（図１参照）から検知信号を受信し、その検知信号を処理し、命令を読み取り、その命令に基づいて照明負荷３２を点灯させる。なお、照明負荷３２が点灯中に、さらに検知信号を受信した場合、点灯中に受信した検知信号を無視するように設定してもよい。例えば、受信部３０が上記検知信号の受信を拒否したり、器具制御部３１が上記検知信号の制御内容を行わなかったりすることで、点灯中に受信した検知信号を無視することができる。
【００３２】
検知信号は、図４に示すように、リーダ、コマンドを含む構成である。リーダは、検知信号の開始を表している。実施形態１では、リーダの送信時間を１０ｍｓとしている。実施形態１では、１回目の検知信号はリーダ及び２４ビットのコマンドからなり（図４（ａ）参照）、２回目以降の検知信号はリーダ及び２４ビットのコマンド３つからなる（図４（ｂ）参照）。また、実施形態１では、１回目の検知信号の伝送速度は２４００ｂｐｓであり、２回目以降の検知信号の伝送速度は、１回目の検知信号の伝送速度より遅く１２００ｂｐｓである。上記より、１回目はデータ長が短く、伝送速度が速い検知信号が送信され、２回目以降はデータ長が長く、伝送速度が遅い検知信号が送信される。
【００３３】
２回目以降の検知信号の送信（再送）タイミングは、図５に示すように、４パターンに割り当てられている。２回目以降の検知信号は、カウンタ１２，２２（図２参照）の値ｘ１，ｘ２に基づいて送信タイミングのパターンを選択する。上記のようにして、無線リモコン１，２（図１参照）がそれぞれ送信タイミングのパターンを選択することにより、２回目以降の検知信号が干渉する確率を低減することができる。なお、送信タイミングのパターンを選択する方法は、上記に限定されるものではなく、各無線リモコン１，２がランダムに選択する方法であってもよい。パターンが多くなるほど、２回目以降の検知信号が干渉する確率を低減することができる。
【００３４】
また、２回目の検知信号と３回目の検知信号との送信間隔は、１回目の検知信号と２回目の検知信号との送信間隔より長くなっている。上記のようにすると、一方の無線リモコンの２回目の検知信号と、他方の無線リモコンの３回目の検知信号とが干渉することを低減することができる。特に、２回目の検知信号を最後に送信する時間（図５のｘ＝３）より後に、３回目の検知信号を最初に送信する時間（図５のｘ＝０）となるように、２回目の検知信号と３回目の検知信号との送信間隔を設定すると、一方の無線リモコンの２回目の検知信号と、他方の無線リモコンの３回目の検知信号とが干渉することをさらに低減することができる。
【００３５】
さらに、実施形態１では、図５に示す間隔Ａは１回目の検知信号と同じ長さとし、図５に示す間隔Ｂは２回目の検知信号と同じ長さとしている。このようにすると、少なくとも１回目の検知信号の一部が干渉したときに、間隔Ａによって、２回目の検知信号の干渉を低減することができる。同様に、少なくとも２回目の検知信号の一部が干渉したときに、間隔Ｂによって、３回目の検知信号の干渉を低減することができる。
【００３６】
上記より、図２に示す無線リモコン１，２は、人感センサ１０，２０による１回の検知により、１〜３回目の検知信号を生成する。同時に、検知回数を数え、カウンタ１２，２２の値ｘ１，ｘ２に基づいて、２回目以降の検知信号に対する送信タイミングのパターンを選択する。１回目の検知信号を照明器具３（図１参照）にすぐ送信し、２回目の検知信号を選択した送信タイミングで照明器具３に送信する。
【００３７】
次に、実施形態１の照明装置の動作について説明する。先ず、図６に示すように無線リモコン１における人感センサ１０（図２参照）の検知範囲１０ａ内を人５ａが横切った場合について説明する。この場合、照明器具３は、無線リモコン１から近いので、１回目の速く短い検知信号を無線リモコン１から受信し、すぐに照明負荷３２を点灯させることができる（図７参照）。
【００３８】
続いて、図８（ａ）に示すように無線リモコン２における人感センサ２０（図２参照）の検知範囲２０ａ内を人５ｂが横切った場合について説明する。この場合、照明器具３は、無線リモコン２から若干遠いので、無線リモコン２からの検知信号が届きにくく、１回目の速く短い検知信号を受信することができない。しかし、２回目の遅く長い検知信号を受信することができる（図９参照）。これにより、人感センサ２０による検知から少し遅れるが、図８（ｂ）に示すように、照明負荷３２の設置場所を人５ｂが通るまでには、照明負荷３２を確実に点灯させることができる。
【００３９】
さらに、図１０（ａ）に示すように無線リモコン１，２における人感センサ１０，２０（図２参照）の検知範囲１０ａ，２０ａ内を同時に人５ａ，５ｂが横切った場合について説明する。なお、カウンタ１２，２２（図２参照）の値ｘ１，ｘ２はそれぞれ１、２であり、無線リモコン１，２の送信タイミングは、それぞれ図５のｘ＝１、ｘ＝２となる。両方の無線リモコン１，２の１回目の検知信号は、図１１に示すように、同時に送信されるので、干渉し、その結果、照明器具３は両方の１回目の検知信号を受信することができない（図１０（ａ）参照）。しかし、それぞれ２回目以降の検知信号は、互いに送信タイミングがずれるので、図１０（ｂ）に示すように、照明器具３は、２回目以降の検知信号を受信することができ、照明負荷３２を点灯させることができる。
【００４０】
以上、実施形態１によれば、無線リモコン１は照明器具３との距離が近いので、人感センサ１０による検知後、すぐに照明制御を行う必要があるが、近距離通信で信頼性が高いので、１回目の伝送速度が速く、データ長が短い検知信号により、照明制御を素早く行うことができる。一方、無線リモコン２は照明器具３との距離が遠いが、人感センサ２０による検知後、若干時間が経過してから照明制御を行ってもよいので、２回目以降の伝送速度が遅く、データ長が長い検知信号により、２回目以降の通信信頼性を向上させることができるとともに、照明制御を確実に行うことができる。これにより、無線リモコン１，２の設置可能範囲を広げることができる。
【００４１】
また、無線リモコン１，２からの単方向通信であっても、無線リモコン１，２が同時に人５ａ，５ｂを検出した場合に、複数の検知信号が干渉し合うのを防止することができる。さらに、異なる無線リモコンの２回目の検知信号と３回目の検知信号との干渉を低減することができる。
【００４２】
（実施形態２）
実施形態２は、図１２に示すように、無線リモコン１，２、照明器具３を備える点で実施形態１と同様であるが、実施形態１にはない以下に記載の特徴部分がある。実施形態２では、さらに照明器具４を備え、照明器具を複数（実施形態２では２つ）にしている。照明器具４は、照明器具３と同様に、受信部（微弱無線受信部）（図２の受信部３０参照）、器具制御部（図２の器具制御部３１参照）、照明負荷（図２の照明負荷３２参照）を含む構成であり、照明器具３と同様の機能を有している。なお、照明器具の数は、上記に限定されるものではなく、用途に応じて適宜設定することができる。
【００４３】
次に、実施形態２の照明装置の動作について説明する。先ず、図１３（ａ）に示すように無線リモコン１における人感センサ１０（図２参照）の検知範囲１０ａ内を人５ａが横切った場合について説明する。この場合、照明器具３は、実施形態１の照明器具３と同様の動作を行う（図６参照）。これに対して、照明器具４は、無線リモコン１から若干遠いので、無線リモコン１から検知信号が届きにくく、１回目の速く短い検知信号を受信することができない。しかし、照明器具４は、２回目の遅く長い検知信号を受信することができる（図１４参照）。これにより、人感センサ２０による検知から少し遅れるが、図１３（ｂ）に示すように、照明負荷の設置場所を人５ａが通るまでには、照明負荷を確実に点灯させることができる。
【００４４】
続いて、図１２に示す無線リモコン２の検知範囲内を人が横切った場合について説明する。この場合、照明器具３は、実施形態１の照明器具３と同様の動作を行う（図１０参照）。これに対して、照明器具４は、無線リモコン２から近いので、１回目の速く短い検知信号を無線リモコン２から受信し、すぐに照明負荷を点灯させることができる。
【００４５】
さらに、図１５（ａ）に示すように無線リモコン１，２における人感センサ１０，２０（図２参照）の検知範囲１０ａ，２０ａ内を同時に人５ａ，５ｂが横切った場合について説明する。両方の無線リモコン１，２の１回目の検知信号は、図１６に示すように、同時に送信されるので、干渉し、その結果、照明器具３，４は両方の１回目の検知信号を受信することができない（図１５（ａ）参照）。しかし、２回目以降の検知信号は、互いに送信タイミングがずれるので、照明器具３は、図１５（ｂ）に示すように、無線リモコン１から２回目の検知信号を受信することができ、照明負荷３２を点灯させることができる。また、照明器具４は、図１５（ｃ）に示すように、無線リモコン２から２回目の検知信号を受信することができ、照明負荷を点灯させることができる。
【００４６】
以上、実施形態２によれば、各照明器具３，４において、無線リモコン１，２と照明器具３，４との距離が近いときでは、照明制御を素早く行うことができるとともに、上記距離が遠いときでは、２回目以降の通信信頼性を向上させることができるとともに、照明制御を確実に行うことができる。
【００４７】
（実施形態３）
実施形態３は、無線リモコン１，２、照明器具３（ともに図１参照）を備える点で実施形態１と同様であるが、実施形態１にはない以下に記載の特徴部分がある。実施形態３の２回目以降の検知信号は、実施形態１の２回目以降の検知信号（図４（ｂ）参照）と異なり、誤り制御符号を付加している。さらに、３回目の検知信号は、誤り制御符号を２回目の検知信号より多く付加している。
【００４８】
具体的には、１回目の検知信号は、リーダ及び２４ビットのコマンドからなる。２回目の検知信号は、１回目の検知信号に６ビットの誤り制御符号が付加されている。３回目の検知信号は、１回目の検知信号に２４ビットの誤り制御符号が付加されている。
【００４９】
以上、実施形態３によれば、誤り制御符号により、２回目以降の通信信頼性を向上させることができる。
【００５０】
（実施形態４）
実施形態４は、無線リモコン１，２、照明器具３（ともに図１参照）を備える点で実施形態１と同様であるが、実施形態１にはない以下に記載の特徴部分がある。実施形態４では、３回目の検知信号の伝送速度を、２回目の検知信号の伝送速度より遅く設定している。具体的には、１回目、２回目及び３回目の検知信号の伝送速度を、順に２４００ｂｐｓ、１２００ｂｐｓ、６００ｂｐｓに設定している。
【００５１】
以上、実施形態４によれば、２回目の検知信号でも通信できない場所に、さらに通信しやすい検知信号を送信することで、無線リモコンの設置範囲をさらに広げることができる。
【００５２】
（実施形態５）
実施形態５は、無線リモコン１，２、照明器具３（ともに図１参照）を備える点で実施形態１と同様であるが、実施形態１にはない以下に記載の特徴部分がある。実施形態５の２つの無線リモコンは、実施形態１の無線リモコン１，２と異なり、自己に固有のＩＤ（Ｉｄｅｎｔｉｆｉｃａｔｉｏｎ）を有し、ＩＤに基づいて、送信タイミングを選択する。
【００５３】
具体的には、各無線リモコンにおいて、ＩＤの下１桁の値を３で割った余り０〜３のいずれかをカウンタの値ｘ１，ｘ２の初期値とし、値ｘ１，ｘ２に基づいて、送信タイミングを選択する。
【００５４】
以上、実施形態５によれば、初期状態であっても、無線リモコンは異なるパターンで検知信号を送信する可能性を高めることができるので、２回目以降の検知信号の干渉を起こりにくくすることができる。
【００５５】
なお、実施形態１〜５のいずれかの変形例として、無線リモコンは、１回の検知に対して検知信号を４回以上、照明器具に送信してもよい。このような構成にすると、照明制御をさらに確実に行うことができる。
【００５６】
また、実施形態１〜５のいずれかの他の変形例として、人感センサに代わって、又は人感センサとともに、明るさセンサを入力手段として無線リモコンに備えてもよい。このような構成にすると、照度に基づいて照明制御を行うことができる。例えば、予め決められた照度より低くなる場合、すなわち、予め決められた基準より暗くなる場合に、照明負荷を点灯させることができる。
【００５７】
さらに、実施形態１〜５のいずれかの他の変形例として、ユーザが操作する操作部を入力手段として無線リモコンに備えてもよい。操作部は、例えば、押釦スイッチ、スライドスイッチ等を含み、入力信号を信号生成部に出力する。信号生成部は、操作部から入力信号を入力したときに、制御信号を生成する。このような構成にすると、ユーザの操作で照明制御を行うことができる。
【図面の簡単な説明】
【００５８】
【図１】本発明による実施形態１の照明装置の概観図である。
【図２】同上の無線リモコンのブロック図である。
【図３】同上の照明器具のブロック図である。
【図４】同上の照明装置であって、（ａ）は１回目の検知信号の構成図、（ｂ）は２回目以降の検知信号の構成図である。
【図５】同上の検知信号の送信タイミングを表す図である。
【図６】同上の無線リモコン１が人を検知したときの動作を表す図である。
【図７】同上の無線リモコン１が人を検知したときのタイムチャートである。
【図８】同上の無線リモコン２が人を検知したときであって、（ａ）は無線リモコン２が１回目の検知信号を送信したときの動作を表す図、（ｂ）は無線リモコン２が２回目の検知信号を送信したときの動作を表す図である。
【図９】同上の無線リモコン２が人を検知したときのタイムチャートである。
【図１０】同上の無線リモコン１，２が同時に人を検知したときであって、（ａ）は無線リモコン１，２が１回目の検知信号を送信したときの動作を表す図、（ｂ）は無線リモコン１が２回目の検知信号を送信したときの動作を表す図である。
【図１１】同上の無線リモコン１，２が同時に人を検知したときのタイムチャートである。
【図１２】本発明による実施形態２の照明装置の概観図である。
【図１３】同上の無線リモコン１が人を検知したときであって、（ａ）は無線リモコン１が１回目の検知信号を送信したときの動作を表す図、（ｂ）は無線リモコン１が２回目の検知信号を送信したときの動作を表す図である。
【図１４】同上の無線リモコン１が人を検知したときのタイムチャートである。
【図１５】同上の無線リモコン１，２が同時に人を検知したときであって、（ａ）は無線リモコン１，２が１回目の検知信号を送信したときの動作を表す図、（ｂ）は無線リモコン１が２回目の検知信号を送信したときの動作を表す図、（ｃ）は無線リモコン２が２回目の検知信号を送信したときの動作を表す図である。
【図１６】同上の無線リモコン１，２が同時に人を検知したときのタイムチャートである。
【図１７】従来の信頼性の低い微弱無線による通信であって、（ａ）は無線リモコン１が人を検知したときの動作を表す図、（ｂ）は無線リモコン２が人を検知したときの動作を表す図である。
【図１８】同上の無線リモコン１，２が同時に人を検知したときであって、（ａ）は動作を表す図、（ｂ）はタイムチャートである。
【図１９】同上の信頼性を上げた場合の通信であって、（ａ）は無線リモコン２が人を検知したときの動作を表す図、（ｂ）は無線リモコン１が人を検知した直後の動作を表す図、（ｃ）は無線リモコン１が人を検知して時間が経過した後の動作を表す図である。
【符号の説明】
【００５９】
１，２  無線リモコン
１０，２０  人感センサ
１１，２１  信号生成部
１３，２３  リモコン制御部
１４，２４  送信部
３，４  照明器具
３２  照明負荷
【図１】
2006093049.tif 000003
【図２】
2006093049.tif 000004
【図３】
2006093049.tif 000005
【図４】
2006093049.tif 000006
【図５】
2006093049.tif 000007
【図６】
2006093049.tif 000008
【図７】
2006093049.tif 000009
【図８】
2006093049.tif 000010
【図９】
2006093049.tif 000011
【図１０】
2006093049.tif 000012
【図１１】
2006093049.tif 000013
【図１２】
2006093049.tif 000014
【図１３】
2006093049.tif 000015
【図１４】
2006093049.tif 000016
【図１５】
2006093049.tif 000017
【図１６】
2006093049.tif 000018
【図１７】
2006093049.tif 000019
【図１８】
2006093049.tif 000020
【図１９】
2006093049.tif 000021